(57)【要約】  本発明は、ノーマリーホワイト型の液晶パネルにおいて、尾引き現象等の表示不良を適切に抑制することを課題とする。  駆動部（３）は、映像信号処理回路（１）が受け付けた映像信号に応じた駆動電圧を液晶パネル（４）に供給する。ヒストグラム検出部（５）は、映像信号処理回路（１）が受け付けた映像信号の信号レベルと画素数との関係を表した映像ヒストグラムを検出する。ＣＰＵ（６）は、ヒストグラム検出部（５）にて検出されたヒストグラムに基づいて、そのヒストグラムの全画素数に対する信号レベルが第一規定値以上（白側）の画素数の第一割合と、前記全画素数に対する前記信号レベルが前記第一規定値より小さい第二規定値以下（黒側）の画素数の第二割合とを算出する。増幅部（２）は、ＣＰＵ（６）が算出した白側の画素数の第一割合と黒側の画素数の第二割合とに応じて、駆動部（３）が液晶パネル（４）に供給する駆動電圧の下限を補正する。
2010109643.tif 000002
【特許請求の範囲】
【請求項１】
ノーマリーホワイト型の液晶パネルと、
映像信号を受け付ける入力手段と、
前記入力手段が受け付けた映像信号に応じた駆動電圧を前記液晶パネルに供給して、該映像信号が示す映像を前記液晶パネルに表示させる駆動手段と、
前記入力手段が受け付けた映像信号の信号レベルと画素数との関係を表わしたヒストグラムを検出する検出手段と、
前記検出手段にて検出されたヒストグラムに基づいて、該ヒストグラムの全画素数に対する前記信号レベルが予め定められた第一規定値以上の画素数の第一割合と、該全画素数に対する前記信号レベルが前記第一規定値より小さい第二規定値以下の画素数の第二割合とを算出する算出手段と、
前記算出手段が算出した第一割合および第二割合に応じて、前記駆動手段が前記液晶パネルに供給する駆動電圧の下限を補正する補正手段と、を有する映像表示装置。
【請求項２】
請求の範囲第１項に記載の映像表示装置において、
前記補正手段は、前記第二割合が予め定められた閾値以上の場合、前記駆動電圧の下限を所定値にし、前記第二割合が前記閾値未満の場合、前記駆動電圧の下限を、前記所定値以下であり、かつ、前記第一割合が大きいほど小さくする、映像表示装置。
【請求項３】
請求項２に記載の映像表示装置において、
前記補正手段は、前記第二割合が前記閾値未満の場合、前記駆動電圧の下限を、前記第二割合が小さいほど小さくする、映像表示装置。
【請求項４】
請求の範囲第１項ないし第３項のいずれか１項に記載の映像表示装置において、
前記補正手段は、前記映像信号の白レベルを補正して、前記駆動電圧の下限を補正する、映像表示装置。
【請求項５】
請求の範囲第１項ないし第３項のいずれか１項に記載の映像表示装置において、
前記補正手段は、前記信号レベルが所定レベル以上の映像信号に応じた駆動電圧に、直流電圧を重畳して、前記駆動電圧の下限を補正する、映像表示装置。
【請求項６】
請求の範囲第１項ないし第５項のいずれか１項に記載の映像表示装置において、
前記検出手段は、前記映像信号が示す映像が動画像か静止画像かを判断し、
前記補正手段は、前記検出手段にて前記映像が動画像と判断された場合、前記駆動電圧の下限を補正する、映像表示装置。
【請求項７】
ノーマリーホワイト型の液晶パネルに映像信号に応じた駆動電圧を供給して、該映像信号が示す映像を前記液晶パネルに表示させる映像表示装置による映像補正方法であって、
前記映像信号の信号レベルと画素数との関係を表わしたヒストグラムを検出する検出ステップと、
前記検出されたヒストグラムに基づいて、該ヒストグラムの全画素数に対する前記信号レベルが予め定められた第一規定値以上の画素の第一割合と、該全画素数に対する前記信号レベルが前記第一規定値より小さい第二規定値以下の画素の第二割合とを算出する算出ステップと、
前記算出された第一割合および第二割合に応じて、前記液晶パネルに供給される駆動電圧の下限を補正する補正ステップと、を含む映像補正方法。
【請求項８】
請求の範囲第７項に記載の映像補正方法において、
前記補正ステップでは、前記信号レベルが所定レベル以上の映像信号に応じた駆動電圧に、直流電圧を重畳して、前記駆動電圧の下限を補正する、映像補正方法。
【請求項９】
請求の範囲第７項または第８項に記載の映像補正方法において、
前記映像信号が示す映像が動画像か静止画像かを判断する判断ステップをさらに含み、
前記補正ステップでは、前記映像が動画像と判断された場合、前記駆動電圧の下限を補正する、映像補正方法。
【発明の詳細な説明】
【技術分野】
【０００１】
本発明は、ノーマリーホワイト型の液晶パネルを有する映像表示装置および映像補正方法に関する。
【背景技術】
【０００２】
図１は、液晶プロジェクタなどの映像表示装置で使用される液晶パネルの画素を模式的に示した説明図である。【０００３】
図１で示されたように、液晶パネルの各画素は、画素電極１０１と、画素電極１０１に対向するコモン電極１０２とを有する。また、画素電極１０１とコモン電極１０２との間には、液晶１０３が挟持される。さらに、各画素には、液晶１０３に光を入射するための開口部１０４が形成され、画素間には、光を遮光する遮光部１０５が形成される。なお、映像信号に応じた駆動電圧を画素電極１０１に印加するためのトランジスタが各画素電極１０１に接続されているが、図１では、そのトランジスタは図示していない。また、駆動電圧は、コモン電極１０２の電位を基準（０Ｖ）としている。【０００４】
駆動電圧が画素電極１０１に印加されると、画素電極１０１とコモン電極１０２との間に電位差が生じ、その電位差によって液晶１０３内に電界が生じる。この電界（以下、縦電界と称する）に応じて液晶１０３の分子の配列が変化することにより、液晶１０３に入射された光の透過量が変化して、映像信号が示す映像が表示されることになる。【０００５】
また、互いに隣接する画素電極１０１間にも電位差が生じ、その電位差によって液晶１０３内に電界が生じることがある。この電界（以下、横電界と称する）によっても液晶１０３の分子の配列が変化するので、液晶１０３の分子の配列が縦電界に応じた理想的な配列からずれる配列不良が生じ、画素から光が漏れる光漏れが生じることがある。【０００６】
遮光部１０５によって光が遮光される範囲がある程度以上あれば、このような光漏れを防止することができる。しかしながら、近年、映像表示装置の高輝度化、高精細化および小型化などが進められており、その結果、開口部１０４が大きくなっている。このため、遮光部１０５によって光が遮光される範囲が小さくなっており、光漏れを防止することが困難になっている。【０００７】
以下、ノーマリーホワイト型の液晶パネルについて説明する。ノーマリーホワイト型の液晶パネルは、画素電極１０１に駆動電圧が印加されていないときに、液晶１０３に入射された光の透過量が最大となる液晶パネルのことである。【０００８】
ノーマリーホワイト型の液晶パネルの場合、画素電極１０１に印加された駆動電圧が最小値付近から最大値付近に変化したときに、その画素電極１０１の画素で光漏れが発生し、尾引き現象などの表示不良が発生することが知られている。つまり、白画像から黒画像に変化した画素で表示不良が発生する。【０００９】
なお、画素電極１０１に印加された駆動電圧が最大値付近から最小値付近に変化したときには、表示不良は発生しない。また、表示不良が発生した画素の画素電極１０１に最小値付近の駆動電圧が印加されて、白画像が実現されると、その表示不良は解消する。【００１０】
以下、最小値付近の駆動電圧を白側電圧と称し、最大値付近の駆動電圧を黒側電圧と称する。【００１１】
図２Ａおよび図２Ｂは、表示不良の一例を説明するための説明図である。図２Ａおよび図２Ｂでは、黒画像の背景中を白画像の三角形状のオブジェクトが移動している場合における、ある時刻での表示画像が示されている。なお、オブジェクトは、図中の右側から左側に移動しているものとする。【００１２】
この場合、表示不良が発生していない正常な表示画像は、図２Ａで示したような表示画像となる。しかしながら、オブジェクトの軌跡上の各画素では、白画像から黒画像に変化するので、光漏れが発生する。このため、図２Ｂで示したように、オブジェクトの軌跡上の各画素では、黒画像の背景が正常に表示されず、尾引き現象が発生する。【００１３】
このように、黒画像中を白画像のオブジェクトが移動すると、尾引き現象が発生するので、黒画像が多いほど、白画像のオブジェクトがその黒画像中を移動することが多くなり、尾引き現象などの表示不良が発生しやすくなる。また、白画像が少ないほど、表示不良が発生した画素に白画像が実現されにくいので、表示不良が解消しづらくなる。【００１４】
このような尾引き現象などの表示不良を抑制するために、映像信号の信号レベルの上限を制限する方法が知られている。【００１５】
図３Ａは、映像信号の信号レベルの上限を制限していないときの駆動電圧の波形図であり、図３Ｂは、映像信号の信号レベルの上限を制限したときの駆動電圧の波形図である。なお、映像信号には、１水平期間（１Ｈ）ごとに極性が反転される１Ｈ反転駆動方式が用いられている。また、映像信号は、白画像を示している。【００１６】
映像信号の信号レベルの上限を制限していない場合、図３Ａで示したように、画素電極１０１には、駆動電圧として白側電圧が印加されるので、表示不良が発生する可能性がある。そこで、図３Ｂで示したように、駆動電圧が白側電圧にならないように、映像信号の信号レベルの上限を制限する。これにより、白側電圧から黒側電圧に変化することがなくなるので、表示不良が抑制される。【００１７】
しかしながら、信号レベルの上限を制限する方法では、駆動電圧が最小値付近にならないので、液晶１０３に入射された光の透過量を最大にすることができない。したがって、表示画像の輝度を最大にすることができないことになり、表示画像が暗くなるという問題があった。【００１８】
特許文献１には、表示不良とともに、表示画像が暗くなることを抑制することが可能な液晶テレビジョン装置が記載されている。【００１９】
この液晶テレビジョン装置は、映像信号の平均輝度を検出し、その平均輝度が所定の閾値以上であると、映像信号の信号レベルの上限を大きくする。【００２０】
これにより、黒画像が多く表示不良が発生しやすい場合には、信号レベルの上限が小さくなるので、表示不良が抑制される。また、黒画像が少なく表示不良が発生しにくい場合には、信号レベルの上限が大きくなるので、表示画像が明るくなる。したがって、表示不良とともに、表示画像が暗くなることを抑制することが可能になる。
【特許文献１】特開２００５−６０３８号公報
【発明の開示】
【発明が解決しようとする課題】
【００２１】
平均輝度は、白画像と黒画像との間の中間階調の画像にも依存するので、同じ平均輝度でも、白画像が多く黒画像が少ない場合や、白画像が少なく黒画像が多い場合などがある。【００２２】
また、平均輝度が同じでも、白画像が少なく黒画像が多い場合の方が、白画像が多く黒画像が少ない場合より表示不良が発生しやすい。しかしながら、特許文献１に記載の液晶テレビジョン装置では、映像信号の信号レベルの上限を、映像信号の平均輝度に基づいて変更しているため、これらの場合で表示画像の明るさが同じになる。したがって、表示不良を適切に抑制することができないという問題があった。【００２３】
本発明の目的は、上記の課題である、表示不良を適切に抑制することができないという問題を解決する映像表示装置および映像補正方法を提供することである。
【課題を解決するための手段】
【００２４】
本発明による映像表示装置は、液晶パネルと、映像信号を受け付ける入力手段と、前記入力手段が受け付けた映像信号に応じた駆動電圧を前記液晶パネルに供給して、該映像信号が示す映像を前記液晶パネルに表示させる駆動手段と、前記入力手段が受け付けた映像信号の信号レベルと画素数との関係を表わしたヒストグラムを検出する検出手段と、前記検出手段にて検出されたヒストグラムに基づいて、該ヒストグラムの全画素数に対する前記信号レベルが予め定められた第一規定値以上の画素の第一割合と、該全画素数に対する前記信号レベルが前記第一規定値より小さい第二規定値以下の画素の第二割合とを算出する算出手段と、前記算出手段が算出した第一割合および第二割合に応じて、前記駆動手段が前記液晶パネルに供給する駆動電圧の下限を補正する補正手段と、を有する。【００２５】
本発明による映像補正方法は、映像信号に応じた駆動電圧を液晶パネルに供給して、該映像信号が示す映像を前記液晶パネルに表示させる映像表示装置による映像補正方法であって、前記映像信号の信号レベルと画素数との関係を表わしたヒストグラムを検出し、前記検出されたヒストグラムに基づいて、該ヒストグラムの全画素数に対する前記信号レベルが予め定められた第一規定値以上の画素の第一割合と、該全画素数に対する前記信号レベルが前記第一規定値より小さい第二規定値以下の画素の第二割合とを算出し、前記算出された第一割合および第二割合に応じて、前記液晶パネルに供給される駆動電圧の下限を補正する。
【発明の効果】
【００２６】
本発明によれば、表示不良を適切に抑制することが可能になる。
【図面の簡単な説明】
【００２７】
【図１】液晶パネルの画素を模式的に示した説明図である。
【図２Ａ】表示不良のない正常な画像を示した説明図である。
【図２Ｂ】表示不良の一例を示した説明図である。
【図３Ａ】振幅制限を行っていない映像信号の波形図である。
【図３Ｂ】振幅制限を行った映像信号の波形図である。
【図４】本発明の第一の実施形態の映像表示装置の構成を示したブロック図である。
【図５】白レベルの補正量と映像ヒストグラムの割合との関係を示した説明図である。
【図６】映像表示装置の動作例を説明するためのフローチャートである。
【図７】本発明の第二の実施形態の映像表示装置の構成を示したブロック図である。
【図８】直流電圧の大きさと映像ヒストグラムとの関係を示した説明図である。
【図９】本発明の第三の実施形態の映像表示装置の構成を示したブロック図である。
【発明を実施するための最良の形態】
【００２８】
以下、本発明の実施形態について図面を参照して説明する。なお、以下の説明では、同じ機能を有する構成には同じ符号を付け、その説明を省略する場合がある。【００２９】
図４は、本発明の第一の実施形態の映像表示装置の構成を示したブロック図である。図４において、映像表示装置は、映像信号処理回路１と、増幅部２と、駆動部３と、液晶パネル４と、ヒストグラム検出部５と、ＣＰＵ６とを有する。【００３０】
映像信号処理回路１は、入力手段の一例である。映像信号処理回路１は、映像信号を受け付ける。映像信号処理回路１は、その受け付けた映像信号に信号処理を行う。例えば、映像信号処理回路１は、信号処理としてガンマ補正やＤ／Ａ変換などを行う。なお、信号処理後の映像信号は、直流信号であるとする。【００３１】
増幅部２は、補正手段の一例である。増幅部２は、映像信号を増幅して、映像信号の白レベルを補正する。なお、白レベルとは、映像信号の最も明るい時の振幅である。【００３２】
駆動部３は、増幅部２にて白レベルが補正された映像信号に応じた駆動電圧を液晶パネル４に供給して、その映像信号が示す映像を液晶パネル４に表示させる。【００３３】
液晶パネル４は、ノーマリーホワイト型の液晶パネルである。このため、液晶パネル４にて表示される映像は、駆動電圧が小さいほど明るくなり、駆動電圧の下限で最も明るくなる。よって、映像信号の白レベルは、駆動電圧の下限に対応する。したがって、増幅部２は、映像信号の白レベルを補正することで、駆動電圧の下限を補正することになる。【００３４】
駆動部３は、より具体的には、反転・交流駆動部７と、液晶駆動回路８とを有し、各部が以下の処理を行う。【００３５】
反転・交流駆動部７は、増幅部２にて振幅が補正された映像信号を、極性が所定の周期で反転する交流信号に変換する。なお、所定の周期は、例えば、１水平期間や１フィールド期間などである。【００３６】
液晶駆動回路８は、反転・交流駆動部７にて交流信号に変換された映像信号に応じた駆動電圧を生成する。液晶駆動回路８は、その駆動電圧を液晶パネル４に供給して、その映像信号が示す映像を液晶パネル４に表示させる。【００３７】
ヒストグラム検出部５は、検出手段の一例である。ヒストグラム検出部５は、映像信号処理回路１にて信号処理が行われた映像信号の信号レベルと画素数の関係を表わした映像ヒストグラムを検出する。なお、ヒストグラム検出部５は、フレームごとに映像ヒストグラムを検出することが望ましい。【００３８】
ここで、ヒストグラム検出部５は、映像ヒストグラムとして、映像信号に含まれる複数の色成分信号のそれぞれの信号レベルと画素数を表わした複数の色別ヒストグラムを検出してもよいし、映像信号に含まれる輝度信号の信号レベルと画素数を表わした輝度ヒストグラムを検出してもよい。【００３９】
ＣＰＵ６は、算出手段の一例である。ＣＰＵ６は、ヒストグラム検出部５にて検出された映像ヒストグラムに基づいて、その映像ヒストグラムの全画素数に対する白側の画素の割合および黒側の画素の割合を算出する。【００４０】
白側の画素は、信号レベルが予め定められた第一規定値以上の画素である。また、黒側の画素は、信号レベルが予め定められた第二規定値以下の画素である。なお、第二規定値は、第一規定値より小さい。また、第一規定値は、例えば、信号レベルの最大値の８０％の値である。また、第二規定値は、例えば、信号レベルの最大値の２０％の値である。なお、白側の画素の割合は、第一割合の一例であり、黒側の画素の割合は、第二割合の一例である。【００４１】
ＣＰＵ６は、算出した白側の画素の割合と黒側の画素の割合とに応じて、増幅部２による映像信号の白レベルの補正量を求める。なお、補正量は、補正前の映像信号の白レベルに対する補正後の映像信号の白レベルの割合を示す。これにより、増幅部２は、白側の画素の割合と黒側の画素の割合とに応じて、映像信号の白レベルを補正することになる。【００４２】
例えば、黒側の画素の割合が予め定められた閾値以上の場合、ＣＰＵ６は、駆動電圧の下限が所定値になるように、補正量を調整する。また、黒側の画素の割合が閾値未満の場合、ＣＰＵ６は、駆動電圧の下限が、所定値以下であり、かつ、白側の画素の割合が大きいほど小さくなるように、補正量を調整する。さらに、黒側の画素の割合が閾値未満の場合、ＣＰＵ６は、駆動電圧の下限が黒側の画素の割合が小さいほど駆動電圧の下限が小さくなるように、補正量を調整する。なお、補正量が大きいほど、駆動電圧の下限は小さくなる。【００４３】
図５は、補正量と、黒レベル画素の割合および白レベル画素の割合との関係を示した説明図である。【００４４】
図５では、閾値は、１０％であり、所定値に対応する補正量を８０％としている。また、白側の画素の割合が１００％の場合、補正量を１００％としている。つまり、補正後の白レベルを、補正前の白レベルと等しくしている。【００４５】
この場合、補正量は、黒側の画素の割合が１０％以下の場合、８０％となり、黒側の画素の割合が０％〜１０％の場合、白側の画素の割合と黒側の画素の割合に応じて、８０％〜１００％の間で変化する。【００４６】
図４に戻る。ヒストグラム検出部５が映像ヒストグラムとして複数の色別ヒストグラムを検出した場合、ＣＰＵ６は、色別ヒストグラムごとに、その色別ヒストグラムに基づいて補正量を求める。それらの補正量が異なる場合、それらの補正量のそれぞれに応じて、色成分信号のそれぞれの白レベルが補正されると、色成分信号のそれぞれの白レベルがずれて、色ずれが発生することがある。この色ずれを防止するために、ＣＰＵ６は、それらの補正量のうち、最も小さな補正量に増幅部２の補正量を調整して、駆動電圧の下限を最も大きくする。【００４７】
例えば、白側の画素の割合が互いに等しく、黒側の画素の割合が、赤色「０％」、緑色「５％」および青色「１０％」の場合、ＣＰＵ６は、青色の色別ヒストグラムに応じて増幅部２の補正量を調整する。【００４８】
また、ＣＰＵ６は、駆動電圧の下限が所定値になるように増幅部２の補正量を調整した後で、黒側の画素の割合が０になると、徐々に駆動電圧の下限が小さくなるように、その補正量を調整してもよい。例えば、ＣＰＵ６は、数秒かけて、駆動電圧の下限が最小値「０」になるように、補正量を１００％まで上げていく。【００４９】
また、ＣＰＵ６は、反転・交流駆動部７および液晶駆動回路８のオンオフ制御や駆動方式の設定など、反転・交流駆動部７および液晶駆動回路８を適宜制御する。【００５０】
次に動作を説明する。【００５１】
図６は、映像表示装置の動作を説明するためのフローチャートである。【００５２】
ステップＳ１０１では、映像信号処理回路１は、映像信号を受け付けると、その映像信号に各種信号処理を行い、その信号処理を行った映像信号を増幅部２およびヒストグラム検出部５に出力する。ヒストグラム検出部５は、映像信号を受け付けると、ステップＳ１０２を実行する。【００５３】
ステップＳ１０２では、ヒストグラム検出部５は、映像信号に基づいて、映像ヒストグラムを検出する。なお、映像ヒストグラムとして色別ヒストグラムを検出するか、輝度ヒストグラムを検出するかは、予め定められていてもよいし、映像表示装置のユーザにて設定可能であってもよい。【００５４】
ヒストグラム検出部５は、映像ヒストグラムを検出すると、その映像ヒストグラムをＣＰＵ６に出力する。ＣＰＵ６は、その映像ヒストグラムを受け付けると、ステップＳ１０３を実行する。【００５５】
ステップＳ１０３では、ＣＰＵ６は、映像ヒストグラムに基づいて、その映像ヒストグラムの全画素数に対する白側の画素の割合および黒側の画素の割合を算出する。ＣＰＵ６は、その算出した白側の画素の割合および黒側の画素の割合に基づいて、増幅部２による映像信号の白レベルの補正量を求める。【００５６】
ＣＰＵ６は、その補正量を増幅部２に出力する。増幅部２は、その補正量およびステップＳ１で映像信号処理回路１から出力された映像信号を受け付けると、ステップＳ１０４を実行する。【００５７】
ステップＳ１０４では、増幅部２は、その補正量を自己に設定する。そして、増幅部２は、映像信号の白レベルをその設定した補正量に補正する。なお、補正量を求める際に使用したフレームの白レベルをその補正量に補正するように、フレームメモリなどを用いて映像信号を遅延することが望ましい。【００５８】
増幅部２は、映像信号の白レベルを補正すると、その白レベルを補正した映像信号を反転・交流駆動部７に出力する。反転・交流駆動部７は、映像信号を受け付けると、ステップＳ１０５を実行する。【００５９】
ステップＳ１０５では、反転・交流駆動部７は、映像信号を、極性が所定の周期で反転する交流信号に変換し、その変換した映像信号を液晶駆動回路８に出力する。液晶駆動回路８は、映像信号を受け付けると、その映像信号に応じた駆動電圧を生成し、その駆動電圧を液晶パネル４に供給する。【００６０】
液晶パネル４は、その供給された駆動電圧に応じて駆動して、映像信号が示す映像を表示し、動作を終了する。【００６１】
次に効果を説明する。【００６２】
駆動部３は、映像信号処理回路１が受け付けた映像信号に応じた駆動電圧を液晶パネル４に供給して、その映像信号が示す映像を液晶パネル４に表示させる。ヒストグラム検出部５は、映像信号処理回路１が受け付けた映像信号の信号レベルと画素数との関係を表わした映像ヒストグラムを検出する。ＣＰＵ６は、ヒストグラム検出部５にて検出されたヒストグラムに基づいて、そのヒストグラムの全画素数に対する信号レベルが第一規定値以上の画素（白側の画素）の画素の割合と、そのヒストグラムの全画素数に対する信号レベルが第一規定値より小さい第二規定値以下の画素（黒側の画素）の割合とを算出する。増幅部２は、ＣＰＵ６が算出した白側の画素の割合と黒側の画素の割合とに応じて、駆動部３が液晶パネル４に供給する駆動電圧の下限を補正する。【００６３】
この場合、駆動電圧の下限が、白側の画素の割合および黒側の画素の割合に応じて補正される。したがって、表示不良が発生しやすい画像を適切に判断することが可能になるので、表示不良を適切に抑制することが可能になる。【００６４】
また、本実施形態では、黒側の画素の割合が閾値以上の場合、増幅部２は、駆動電圧の下限を所定値にする。また、黒側の画素の割合が閾値未満の場合、駆動電圧の下限を所定値以下あり、かつ、白側の画素の割合が大きいほど小さくする。【００６５】
この場合、白側の画素の割合が大きいほど、駆動電圧の下限が小さくなるので、白側の画素の割合が大きいほど表示画像を明るくすることが可能になる。したがって、表示画像が暗くなることを抑制しながら、表示不良を適切に抑制することが可能になる。【００６６】
また、本実施形態では、黒側の画素の割合が閾値未満の場合、増幅部２は、駆動電圧の下限を黒側の画素の割合が小さいほど小さくする。【００６７】
この場合、黒側の画素の割合が小さいほど、表示画像を明るくすることが可能になる。したがって、表示画像が暗くなることを抑制しながら、表示不良を適切に抑制することが可能になる。【００６８】
また、本実施形態では、増幅部２は、映像信号の白レベルを補正して駆動電圧の下限を補正する。この場合、容易に駆動電圧の振幅を補正することが可能になる。【００６９】
次に第二の実施形態について説明する。【００７０】
第一の実施形態では、映像信号の白レベルを補正することで、駆動電圧の下限を補正していたが、本実施形態では、駆動電圧に直流電圧を重畳させることで、駆動電圧の下限を制限する。【００７１】
図７は、本実施形態の映像表示装置の構成を示したブロック図である。図７において、映像表示装置は、図４で示した構成に加え、直流発生回路９をさらに有する。なお、本実施形態の増幅部２は、映像信号の白レベルの振幅を最小の値（０Ｖ）にする。【００７２】
直流発生回路９は、補正手段の一例である。直流発生回路９は、信号レベルが所定レベル以上の映像信号に応じた駆動電圧に重畳する直流電圧を生成し、その直流電圧を液晶駆動回路８にて生成された駆動電圧に重畳する。これにより、駆動電圧の下限が補正される。【００７３】
ＣＰＵ６は、その算出した白側の画素の割合と黒側の画素の割合とに応じて、直流発生回路９が生成する直流電圧の大きさを調整する。これにより、直流発生回路９は、白側の画素の割合と黒側の画素の割合とに応じて、信号レベルが所定レベル以上の映像信号に応じた駆動電圧に直流電圧を重畳することで、駆動電圧の振幅を補正することになる。【００７４】
図８は、直流電圧の大きさと、黒レベル画素の割合および白レベル画素の割合との関係を示した説明図である。なお、直流電圧の大きさは、駆動電圧の振幅の最大値に対する割合で示している。【００７５】
図８では、閾値は、１０％である。所定値に対応する直流電圧の大きさは、駆動電圧の振幅の２０％としている。また、白側の画素の割合が１００％の場合、直流電圧の大きさを０％としている。【００７６】
この場合、直流電圧の大きさは、黒側の画素の割合が１０％以下の場合、２０％となり、黒側の画素の割合が０％〜１０％の場合、白側の画素の割合と黒側の画素の割合に応じて、０％〜２０％の間で変化する。【００７７】
なお、ＣＰＵ６は、駆動電圧の下限が所定値になるように直流電圧の大きさを調整した後で、黒側の画素の割合が０になると、徐々に駆動電圧の下限が小さくなるように、その直流電圧の大きさを調整してもよい。例えば、ＣＰＵ６は、数秒かけて、駆動電圧の下限が最小値「０」になるように、直流電圧の大きさを０まで下げていく。【００７８】
次に効果を説明する。【００７９】
本実施形態では、直流発生回路９は、信号レベルが所定レベル以上の映像信号に応じた駆動電圧に、直流電圧を重畳して、駆動電圧の振幅を補正する。【００８０】
この場合、映像信号の振幅を補正しなくても、駆動電圧の振幅を補正することが可能になる。【００８１】
次に第三の実施形態について説明する。【００８２】
図９は、本実施形態の映像異表示装置の構成を示したブロック図である。図９において、映像表示装置は、図１で示した構成において、ヒストグラム検出部５の代わりに、動画検出部１０を有する。【００８３】
動画検出部１０は、映像信号処理回路１が信号処理を行った映像信号が示す映像が動画像か静止画像かを判断する。【００８４】
例えば、動画検出部１０は、映像信号のフレームのＡＰＬまたは映像ヒストグラムを動画判定値としてフレームごとに検出し、現在のフレームの動画判定値と次のフレームの動画判定値の差を求める。その差が予め定められた値より大きい場合、映像信号が示す映像を動画像と判断し、その差がその値より小さい場合、映像信号が示す映像を静止画像と判断する。【００８５】
また、動画検出部１０は、映像信号の同期信号の極性および形態（セパレート、コンポジットおよびＳｙｎｃ−ｏｎ−Ｇなど）や、映像信号が入力された入力端子の種類（ＶＩＤＥＯ/Ｓ−ＶＩＤＥＯ入力端子、Ｃｏｍｐｏｎｅｎｔ入力端子およびＨＤＭＩ入力端子）に基づいて、映像信号の形式を判断して、映像信号が動画像か静止画像かを判断してもよい。この場合、動画検出部１０は、その映像信号の形式が１０８０ｐや７２０ｐなどの動画系の形式であれば、その映像信号が示す映像を動画像と判断する。【００８６】
映像信号が示す映像が動画像の場合、動画検出部１０は、図４のヒストグラム検出部５と同様に映像信号の映像ヒストグラムを検出する。【００８７】
動画検出部１０が映像ヒストグラムを生成すると、ＣＰＵ６は、第一の実施形態と同様に、増幅部２による映像信号の白レベルの補正量を調整する。これにより、増幅部２は、動画検出部１０にて映像が動画像と判断された場合、駆動電圧の下限を補正することになる。【００８８】
また、映像信号が示す映像が静止画像の場合、ＣＰＵ６は、補正量の調整を行わない。この場合、増幅部２は、映像信号の白レベルの振幅を最小にする。【００８９】
なお、動画検出部１０にて映像信号が示す映像を動画像と判断された場合、ＣＰＵ６は、映像信号の白レベルを、映像ヒストグラム（白側の画素の割合と黒側の画素の割合）に依存しない一定値になるように補正量を調整してもよい。これは、人間の視覚特性として、動画像は、静止画像より明るさを検知しづらいので、画面を暗くしても人間がそのことを検知することが困難だからである。【００９０】
なお、本実施形態では、第一の実施形態のヒストグラム検出部５を動画検出部１０に代えていたが、第二の実施形態のヒストグラム検出部５を動画検出部１０に代えてもよい。【００９１】
次に効果を説明する。【００９２】
本実施形態では、動画検出部１０は、映像信号が示す映像が動画像か静止画像かを判断する。動画検出部１０にてその映像が動画像の判断された場合、増幅部２は、駆動電圧の下限を補正する。【００９３】
この場合、尾引き現象などの表示不良が発生しづらい静止画像の場合、画面を明るくすることが可能になり、尾引き現象などの表示不良が発生しやすり動画像の場合、表示不良を適切に抑制することが可能になる。【００９４】
以上説明した各実施形態において、図示した構成は単なる一例であって、本発明はその構成に限定されるものではない。
【図１】
2010109643.tif 000003
【図２Ａ】
2010109643.tif 000004
【図２Ｂ】
2010109643.tif 000005
【図３Ａ】
2010109643.tif 000006
【図３Ｂ】
2010109643.tif 000007
【図４】
2010109643.tif 000008
【図５】
2010109643.tif 000009
【図６】
2010109643.tif 000010
【図７】
2010109643.tif 000011
【図８】
2010109643.tif 000012
【図９】
2010109643.tif 000013
【国際調査報告】
2010109643.tif 000014
2010109643.tif 000015